【事件の表示】
　平成１１年特許願第　７２７５５号「画像処理装置」拒絶査定不服審判事件〔平成１２年　９月２９日出願公開、特開２０００−２７０１５１〕について、次のとおり審決する。
【結　論】
　本件審判の請求は、成り立たない。
【理　由】
１．手続きの経緯
　本願は、平成１１年３月１７日の出願であって、平成１７年７月１３日付で拒絶査定がされ、これに対して同年８月９日に拒絶査定不服審判が請求されるとともに、同日付で手続補正がなされたものである。
 
２．平成１７年８月９日付の手続補正についての補正却下の決定
［補正却下の決定の結論］
　平成１７年８月９日付の手続補正を却下する。
 
［理由］
（１）本件補正
　本件補正により、特許請求の範囲の請求項１の記載は、次のとおりに補正された。
「【請求項１】　ネットワークを介して外部装置から画像データを入力する入力手段と、
　前記入力手段により入力された画像データの画像形成を行なう画像形成手段と、
　前記画像形成手段による前記画像データの印刷出力が保証されるかを判断する判断手段と、
　前記判断手段により保証されると判断された場合には、その印刷出力前に前記外部装置に対して印刷完了を示す情報を送信する一方、前記判断手段により保証されると判断されなかった場合には、印刷出力が完了するまで前記外部装置に印刷完了を示す情報を送信しない送信制御手段と
　を備えることを特徴とする画像処理装置。」
　
　本件補正は、平成１７年３月２８日付で手続補正された特許請求の範囲の記載をさらに補正するものである。
　そして、平成１７年３月２８日付で手続補正された特許請求の範囲の請求項の数は全部で１１であり、そのうち本件補正の特許請求の範囲の請求項１に対応する請求項は次のとおりである。
「【請求項１】　ネットワークを介して外部装置から画像データを入力する入力手段と、
　前記入力手段により入力された画像データの画像形成を行なう画像形成手段と、
　前記画像形成手段による前記画像データの印刷出力が保証されるかを判断する判断手段と、
　前記判断手段により保証されると判断された場合には、その印刷出力前に前記外部装置に対して受信完了を示す情報を送信する一方、前記判断手段により保証されると判断されなかった場合には、印刷出力が完了するまで前記外部装置に受信完了または処理実行を示す情報を送信しない送信制御手段と
　を備えることを特徴とする画像処理装置。」
　
（２）補正の適否についての判断
　本件補正後の請求項１は、「判断手段により保証されると判断された場合には、その印刷出力前に外部装置に対して印刷完了を示す情報を送信する」との補正事項を含むものである。
　しかしながら、補正前の特許請求の範囲の請求項１には、「判断手段により保証されると判断された場合には、その印刷出力前に外部装置に対して受信完了を示す情報を送信する」ことは記載されているものの、「受信完了を示す情報」と「印刷完了を示す情報」とは、本願出願時点における技術常識では、明らかに異なる技術事項である。そして、本願明細書又は図面の記載では、判断手段により保証されると判断された場合に、印刷出力前に「受信完了を示す情報」が発送されることによって、発信元で画像は無事に印刷されるものと認識することが示されているのみであって、前記、判断手段により保証されると判断された場合において印刷出力前に送信される「印刷完了を示す情報」が、前記「受信完了を示す情報」をより限定した技術事項であることは示されていない。
　してみると、本件補正後の請求項１における「判断手段により保証されると判断された場合には、その印刷出力前に外部装置に対して印刷完了を示す情報を送信する」ことは、補正前の特許請求の範囲の請求項１に記載された事項を限定するものとは認められないため、本件補正は、特許法第１７条の２第４項第２号に掲げる事項である、特許請求の範囲の減縮（請求項に記載した発明を特定するために必要な事項を限定するものであつて、補正前の請求項に記載された発明と産業上の利用分野及び解決しようとする課題が同一であるものに限る。）を目的とするものとはいえない。
　そして、本件補正が、特許法第１７条の２第４項第１号（請求項の削除）、第３号（誤記の訂正）、第４号（明りょうでない記載の釈明（拒絶理由通知に係る拒絶の理由に示す事項についてするものに限る。））に規定される事項を目的とするものでないことは明らかである。 
　
（３）むすび
　上記のとおり、本件補正は、特許法１７条の２第４項の規定に違反しているものと認められるから、同法１５９条１項で準用する同法５３条１項の規定により却下すべきものである。
　
３．本願発明について
　平成１７年８月９日付の手続補正は上記のとおり却下されたので、本願の請求項１に係る発明は、平成１７年３月２８日付手続補正書の特許請求の範囲の請求項１に記載された事項により特定される、以下のとおりのものである。
「【請求項１】　ネットワークを介して外部装置から画像データを入力する入力手段と、
　前記入力手段により入力された画像データの画像形成を行なう画像形成手段と、
　前記画像形成手段による前記画像データの印刷出力が保証されるかを判断する判断手段と、
　前記判断手段により保証されると判断された場合には、その印刷出力前に前記外部装置に対して受信完了を示す情報を送信する一方、前記判断手段により保証されると判断されなかった場合には、印刷出力が完了するまで前記外部装置に受信完了または処理実行を示す情報を送信しない送信制御手段と
　を備えることを特徴とする画像処理装置。」
　
（２）原査定の理由
　原査定の拒絶の理由の概要は、次のとおりである。
「請求項１、２、８、９に係る発明において、「外部記憶装置に（受信完了または）処理実行を示す情報を送信」の部分は、出願当初の明細書又は図面に記載されていない。この「処理実行」の文言は、意見書に主張するように、本願明細書の段落【００２５】に記載の「印刷の完了」や「印刷出力されたこと」の意味を含むとは考えられるが、それ以外に、今回の補正前の請求項に記載された「画像処理」の実行や、その他、データの展開処理等の実行をも含むものであるから、このような処理実行を示す情報の送信については、出願当初の明細書又は図面には記載されていないし、記載から自明な事項でもない。
　したがって、平成１７年３月２８日付の手続補正は、依然として願書に最初に添付した明細書又は図面に記載した事項の範囲内においてしたものでないから、特許法第１７条の２第３項に規定する要件を満たしていない。」
　
（３）当審の判断
　そこで、平成１７年３月２８日付手続き補正書による補正について検討する。
　前記補正後の請求項１に係る発明は、判断手段により保証されると判断されなかった場合には、印刷出力が完了するまで外部装置に受信完了または「処理実行を示す情報」を送信しないとの補正事項を含むものである。
　そして、本願出願当時の技術常識、及び、明細書又は図面の記載から、前記「判断手段により保証されると判断されなかった場合には、印刷出力が完了するまで外部装置に受信完了または処理実行を示す情報を送信しない」とは、「判断手段により保証されると判断されなかった場合には、印刷出力が完了するまで外部装置に受信完了または処理実行を示す情報を送信せず、印刷出力の完了後に外部装置に受信完了または処理実行を示す情報を送信する」ことであると認められる。
　しかしながら、願書に最初に添付した明細書又は図面（以下、「当初明細書」という。）には、出願人が補正の根拠としている明細書の記載箇所を含め、判断手段により保証されると判断されなかった場合には、印刷出力が完了するまで外部装置に「受信完了を示す情報」を送信せず、印刷出力完了後に「受信完了を示す情報」を送信することは記載されているものの、「処理実行を示す情報」の送信に関する記載は認められず、これについて自明であるする合理的理由もない。
　なお、出願人は、平成１７年３月２８日付に意見書において、「段落００２５には、「印刷が保証されない場合には、たとえ画像データを展開出力可能な場合であっても、印刷が完了するまで受信確認メールを発送しないことになる。したがって、送信者は、印刷出力されたことを確実に知ることができる」という記載がある。この記載に鑑みれば、印刷を完了した後に送信される受信確認メールは、「受信完了」を意味するほか、印刷処理の「処理実行」を意味するものといえる」と主張しているが、仮に、出願人の主張のように「印刷を完了した後に送信される受信確認メールは、「受信完了」を意味するほか、印刷処理の「処理実行」を意味するものといえる」としても、前記補正による請求項１の「処理実行」との記載は、「印刷処理」以外の画像処理やデータの展開処理等の実行を含む、広い概念を包含するものであり、出願当初明細書には、このような「処理実行」を示す情報の送信については、記載されていないし、自明な事項でもない。
　そうすると、平成１７年３月２８日付けの手続補正による請求項１の「判断手段により保証されると判断されなかった場合には、印刷出力が完了するまで外部装置に受信完了または処理実行を示す情報を送信しない」との補正事項は、当初明細書に記載した事項の範囲内においてしたものでないというべきである。　
　
（４）むすび
　以上のとおり、平成１７年３月２８日付けの手続補正は、当初明細書に記載した事項の範囲内においてしたものでなく、特許法第１７条の２第３項に規定する要件を満たしていない。 
　したがって、本願は、拒絶されるべきものである。
　よって、結論のとおり審決する。